(57)【要約】【課題】  取付や取外し操作を簡単に行えるとともに、部品点数が少なくすることで製造コストを低く抑えることができる装身具用留め具を提供すること。【解決手段】  ネックレスやブレスレット等の装身具の両端部を連結する留め具であって、装身具の一端が装着される空間を形成する本体部と、外側方向に付勢されて先端が本体の一端に係止され本体部の空間を閉じ、内側に力を加えることによって開口部が形成されて本体の空間に装身具の一端を挿脱可能とする開閉部とを備える。本体部と開閉部とは円弧形状の連結部を介して一体成形されている。【選択図】      図１
2006325657.tif 000002
【特許請求の範囲】
【請求項１】
ネックレスやブレスレット等の装身具の両端部を連結する留め具において、
前記装身具の一端が装着される空間を形成する本体部と、
外側方向に付勢されて先端が前記本体の一端に係止され前記本体部の空間を閉じ、内側に力を加えることによって隙間ができて前記本体の空間に装身具の一端を挿脱可能とする開閉部と、
前記本体部と前記開閉部とは円弧形状の連結部を介して一体成形されていることを特徴とする装身具用留め具。
【請求項２】
請求項１に記載の留め具において、前記連結部には板バネが取り付けられ、前記開閉部を外側方向に付勢することを特徴とする装身具用留め具。
【請求項３】
請求項１に記載の留め具において、前記連結部にはコイルバネが取り付けられ、前記開閉部を外側方向に付勢することを特徴とする装身具用留め具。
【請求項４】
請求項２または３に記載の留め具において、前記板バネまたはコイルバネは前記本体と前記開閉部に形成された窓の折り曲げた部分によって係止されることを特徴とする装身具用留め具。
【発明の詳細な説明】
【技術分野】
【０００１】
本発明は装身具用留め具、より具体的にはネックレスやブレスレット等の宝飾品の両端部を連結する留め具に関する。
【背景技術】
【０００２】
装身具、特にネックレス用の留め具としては、図６に示す引き輪１００とこれに着脱自在なプレート１１０とを組み合わせたものが一般的である。引き輪１００は、本体１０２にコの字形に接合されたリング取付部１０８を介して、ネックレスチェーン８４の一端であるリング８２ｂが取り付けられている。また、プレート１１０は、その端部に穿設された穴１１６にネックレスチェーン８４の他端であるリング８２ａが取り付けられている。
【０００３】
引き輪１００は、本体１０２の中に図示しないスプリングに付勢された円弧状のスライド棒１０６が内臓されている。このスライド棒１０６にはレバー１０４が取り付けられており、スライド棒１０６はレバー１０４の動きに連動する。すなわち、レバー１０４を矢印Ｊの反時計方向に動かすと、スライド棒１０６も矢印Ｋの反時計方向に動き、本体１０２に隙間が形成される。この隙間からプレート１１０に穿設された矩形状の穴１１２を挿入することで、引き輪１００とプレート１１０とが連結される。
【０００４】
スライド棒１０６は、スプリングによって矢印Ｋの時計方向に付勢されているため、レバー１０４を離すと元に戻り、プレート１１０の挿入時の隙間は図示のようになくなる。これにより、ネックレス８４を身に付けている時に引き輪１００からプレート１１０が外れることは無い。
【０００５】
このような、図６に示した従来技術では、引き輪１００とプレート１１０とを連結したり外したりの操作が非常にやりずらかった。具体的には、連結する場合、一方の手で引き輪１００の本体１０２を持ちながらその手でレバー１０４を反時計方向に回し、他方の手でプレート１１０を持ちその穴１１２を本体１０２に形成された僅かな隙間に通さなければならず、それぞれの手で異なる２方向の動作をしなければならなかった。これらの動きは連結時だけではなく取り外す場合も同じであり、引き輪１００とプレート１１０の形状が小さく、また、その取り付けは首の後ろで目に見えない状態で行うことが多いため、特に高齢になるほどその取付や取外し操作の負担が大きかった。
【０００６】
このような取付や取外し操作の負担を軽減するため、例えば特開平２００１−２４５７１４号公報には、誰でも簡単に着脱操作ができる装身具用留め具が開示されている。図７はこの装身具用留め具を示した正面図である。この従来技術の場合、はさみ部１２０とはさみ部１２２を指で挟んで矢印Ａ方向へ回動させることで受け部１２１をＢ方向に回動させ、プレート１１０（図６参照）を装着する空隙を形成している。
【０００７】
図７に示した従来技術では、はさみ部１２０とはさみ部１２２は図６に示した引き輪１００のレバー１０４（図６参照）と比べて大きく、指先や爪ではなく、指の腹を使って挟むことができるので力が入りやすい。このため、図６に示した従来技術と比べて取付や取外し操作を簡単に行えるようになっている。
【発明の開示】
【発明が解決しようとする課題】
【０００８】
しかしながら、図７に示した従来技術ではプレート１１０の取付や取外し操作は容易になったが、部品点数が多くコスト高になるという問題があった。本発明はこのような従来技術の課題を解決し、取付や取外し操作を簡単に行えるとともに、部品点数が少なくすることで製造コストを低く抑えることができる装身具用留め具を提供することを目的とする。
【課題を解決するための手段】
【０００９】
本発明は上記課題を解決するための手段として、請求項１に記載された発明は、ネックレスやブレスレット等の装身具の両端部を連結する留め具において、装身具の一端が装着される空間を形成する本体部と、外側方向に付勢されて先端が本体の一端に係止され本体部の空間を閉じ、内側に力を加えることによって隙間ができて本体の空間に装身具の一端を挿脱可能とする開閉部とを備え、本体部と開閉部とは円弧形状の連結部を介して一体成形されている。また、請求項２に記載された発明は、連結部には板バネが取り付けられ、開閉部を外側方向に付勢する。また、請求項３に記載された発明は、連結部にはコイルバネが取り付けられ、開閉部を外側方向に付勢する。また、請求項４に記載された発明は、請求項２または３に記載された板バネまたはコイルバネが本体と開閉部に形成された窓の折り曲げた部分によって係止される。
【発明の効果】
【００１０】
本発明によれば、ネックレスやブレスレット等の宝飾品の両端部を連結する留め具において、取付や取外し操作を簡単に行えるとともに、部品点数が少なくすることで製造コストを低く抑えることができる。
【発明を実施するための最良の形態】
【００１１】
次に添付図面を用いて本発明による装身具用留め具の実施の形態を詳細に説明する。図１は本発明による装身具用留め具の実施の形態を示す斜視図である。
装身具用留め具１はネックレスやブレスレット等の宝飾品の両端部を連結する留め具である。図１に示すように、装身具用留め具１は、片側が大きな円弧形状で対向する反対側が小さな円弧形状になっており、例えばプラチナ、金、銀または銅などの貴金属やステンレスやアルミ等の金属でできている。装身具用留め具１は、キャスト加工またはプレス加工により一体成型された筐体に板バネ２０が取り付けられた非常にシンプルな構造になっている。
【００１２】
装身具用留め具１の一体成型された筐体は、ネックレスやブレスレット等の宝飾品の一端に取り付けられた穴の開いたプレート５０（図３参照）が装着される空間を形成する本体部１０と、このプレート５０を挿脱するための隙間をつくる開閉部１４と、これらを連結する連結部１６により形成されている。
【００１３】
開閉部１４は、外側が平らで内側が緩やかな円弧状にカーブした半円形状であり、円弧状の一部が後述する把持部１８と重なっている。開閉部１４はまた、板バネ２０により外側に付勢されており、その先端外側が本体部１０の先端内側に係止されている。開閉部１４は内側に力を加えることによってプレート５０を挿脱するための隙間を形成する。
【００１４】
開閉部１４には矩形状の窓１９a（図２（Ｃ）参照）が形成されている。この窓１９aは、一辺を残し隣り合う３辺に切り込みを入れて内側に折り曲げることにより形成されたものであり、折り曲げられた部分に板バネ２０の一端が外れないように係止される。
【００１５】
連結部１６は、開閉部１４を開閉操作してもその力が特定の箇所に集中しないように円弧形状になっている。連結部１６はまた、開閉部１４が開閉操作できるように板状になっており、の内側には板バネ２０が密着されている。連結部１６以外は凹字形に両側が折り曲げ加工されている。
【００１６】
把持部１８は装身具用留め具１を手で持つための把持部であり、本体部１０と一体成形された円弧形状の２つの平面により形成されている。この２つの平面の内側に前述した開閉部１４が配置されている。窓１９bは窓１９aと同様に板バネ２０が外れないように係止するために開けられた窓である。
【００１７】
図２は、装身具用留め具１の側面図（Ａ）、正面図（Ｂ）および断面図（Ｃ）を示したものである。側面図（Ａ）に示すように、装身具用留め具１は、側面から見ると長方形の形状であり、その中央に窓１９が形成されている。また、正面図（Ｂ）に示すように、装身具用留め具１は、上側が大きく下側が小さい円弧状になっている。
【００１８】
下側の円弧状の連結部１６は板状になっているため例えばステンレス鋼等で形成された板バネ２０が露出した状態になる。しかしながら、板バネ２０の色は装身具用留め具１と同系色になっており、かつ連結部１６の内側に密着しているので、後述するリング４０（図３参照）が取り付けられるとほとんど目立たない。
【００１９】
断面図（Ｃ）は側面図（Ａ）の一点鎖線Ｘ−Ｘで切断したときの断面図であり、これを用いて板バネ２０の取付状態を説明する。窓１９aおよび１９bは、開閉部１４と本体部１０の対向する位置に形成されている。これら窓１９は、上端の一辺を除き隣合う３辺に切り込みを入れ、上端を軸に内側に折り曲げることによって形成されている。この折り曲げ角度は例えば３０度位であり、折り曲げた部分に板バネ２０の両端がそれぞれ係止・固定される。このように、窓１９の折り曲げた部分が板バネ２０の係止部材となっている。
【００２０】
図３は、装身具用留め具１にネックレス用チェーン３０を取り付けたときの状態を示した斜視図である。ネックレス用チェーン３０は、例えばプラチナ、金、銀、銅等の貴金属で形成されたチェーンであり、その一端にはリング４０が、他端にはプレート５０が取り付けられている。リング４０は、チェーン３０と同じ素材のリングであり、連結部１６により形成された円形の空間に常時取り付けられている。
【００２１】
プレート５０は、チェーン３０と同じ素材であり、その両端が大きさの異なる円弧形状の板である。大きい円弧側には半円形の孔５２が穿設されており、小さい方の円弧側には円形の孔５４が穿設されている。孔５２は開閉部１４を介して本体部１０により形成された空間に装着される孔である。また、孔５４はネックレス用チェーン３０の他端が取り付けられる孔である。
【００２２】
図４は装身具用留め具１にプレート５０を取り付けるときの動作を示した遷移図である。装身具用留め具１とプレート５０とを近づけていき（Ａ）、開閉部１４を矢印aの方向である内側に曲げることによってできた隙間に、矢印bに示すようにプレート５０の孔５２を通す（Ｂ）。この際、プレート５０の先端を開閉部１４に当接しながら押すだけで開閉部１４を内側に曲げることができ簡単にプレート５０を装着することができる。
【００２３】
装着後、図４（Ｃ）に示すようにプレート５０を矢印cの方向に引っ張ると、プレート５０が開閉部１４から離れるので、開閉部１４は板バネ２０により矢印dの方向に付勢されているため元の状態にもどる（Ｄ）。以上、プレート５０を取り付けるときの動作を説明したが、取り外す場合も同様である。すなわち、図４（Ｄ）の装着された状態から、開閉部１４を指で内側に折り曲げ（Ｂ）、それにより出来た隙間からプレート５０を取り外す。
【００２４】
図５は本発明による装身具用留め具の他の実施の形態を示した斜視図である。この実施の形態における装身具用留め具２は、板バネ２０の代わりにコイルバネ２１を取り付けたものであり、それ以外の構成要素は図１から図３に示した装身具用留め具１と同様である。したがって、その動作も図４に示したものと同じである。
【００２５】
以上、詳細に本発明の実施の形態を図面を用いて説明したが、本発明は特に本実施の形態に限定されるものではなく、本発明の精神を逸脱しない種々の変形は本発明の範疇に含まれる。すなわち、本体部１０は本実施の形態では円弧状としたが特にこの形に限定されるものではなく角ばっていてもよい。また、本実施の形態では板バネ２０またはコイルバネ２１により開閉部１４を外側に付勢するようにしたが、付勢するバネの種類はそれ以外でも良く、さらに例えば円弧状の連結部１６に同等のバネ機能を持たせればこの種のバネ２０は不要となる。
【図面の簡単な説明】
【００２６】
【図１】本発明による装身具用留め具の実施の形態を示す斜視図である。
【図２】本発明による装身具用留め具の側面図（Ａ）、正面図（Ｂ）および断面図（Ｃ）である。
【図３】図１に示した装身具用留め具にネックレス用チェーンと取り付けたときの斜視図である。
【図４】装身具用留め具にネックレス用チェーンのプレートを装着する動作を示した遷移図である。
【図５】本発明による装身具用留め具の他の実施の形態を示す斜視図である。
【図６】従来技術における装身具用留め具である。
【図７】他の従来技術における装身具用留め具である。
【符号の説明】
【００２７】
１  装身具用留め具
１０  本体部
１４  開閉部
１６  連結部
１８  把持部
１９  窓
２０  板バネ
２１  コイルバネ
３０  ネックレス用チェーン
４０  リング
５０  プレート
５２，５４  孔
【図１】
2006325657.tif 000003
【図２】
2006325657.tif 000004
【図３】
2006325657.tif 000005
【図４】
2006325657.tif 000006
【図５】
2006325657.tif 000007
【図６】
2006325657.tif 000008
【図７】
2006325657.tif 000009